(57)【特許請求の範囲】
【請求項１】
建物の壁部に取り付けられた棚板支持具により棚板が支持されている棚板支持構造であって、
前記棚板支持具は、
前記棚板内に挿入されることで該棚板を支持している棚側棒と、
前記壁部内に挿入された壁側棒と、
を有しており、
前記棚側棒には、当該棚側棒の一端面から同棚側棒の長手方向に延びた棒凹部が設けられており、
前記壁側棒においては、前記壁部から突出した方の端部が前記棒凹部に挿入されており、
前記棚板支持具は、前記棚側棒と前記壁側棒とを互いに固定した棒固定部を有していることを特徴とする棚板支持構造。
【請求項２】
前記壁側棒は、前記棒凹部に挿入された状態で前記棚板の内部に入り込んでいることを特徴とする請求項１に記載の棚板支持構造。
【請求項３】
前記棚板支持具は、
前記壁部の壁面に重ねられた状態で該壁部に固定された重ね板部と、
前記重ね板部を前記棚側棒及び前記壁側棒のうち少なくとも前記棚側棒に固定した板固定部と、
を有していることを特徴とする請求項１又は２に記載の棚板支持構造。
【請求項４】
前記棚側棒は、前記重ね板部に設けられた重ね孔に挿入された状態で、前記板固定部により前記重ね板部に対して固定されていることを特徴とする請求項３に記載の棚板支持構造。
【請求項５】
前記壁側棒は、前記棒凹部に挿入された状態で前記重ね孔を通じて前記重ね板部よりも突出していることを特徴とする請求項４に記載の棚板支持構造。
【請求項６】
前記壁側棒は、当該壁側棒の中心線が前記棚側棒の中心線と平行に延びた状態で前記棒凹部に挿入されていることを特徴とする請求項１乃至５のいずれか１項に記載の棚板支持構造。
【請求項７】
前記壁側棒は、当該壁側棒の中心線が前記棚側棒の中心線と交差する方向に延びた状態で前記棒凹部に挿入されていることを特徴とする請求項１乃至５のいずれか１項に記載の棚板支持構造。
【請求項８】
建物の壁部に取り付けられた場合に棚板を支持することが可能な棚板支持具であって、
一端面が凹むことで形成された棒凹部を有する外側棒と、
前記棒凹部内に挿入されている内側棒と、
前記外側棒と前記内側棒とを互いに固定した棒固定部と、
前記外側棒における前記棒凹部の開放端部に設けられ、該外側棒の径方向に延びた延出板部と、
を備え、
前記延出板部は、前記内側棒が前記壁部内に挿入され且つ該内側棒の突出部分が前記棒凹部に挿入された状態で、前記壁部の壁面に重ねられるものであることを特徴とする棚板支持具。
【発明の詳細な説明】
【技術分野】
【０００１】
本発明は、棚板支持構造及び棚板支持具に関するものである。
【背景技術】
【０００２】
住宅等の建物においては、間仕切壁等の壁部に対して棚板が取り付けられていることがある。この構成としては、壁部に対して固定された支持具により棚板が片持ち支持された構成が挙げられる。例えば、支持具が大型の支持板材を介して壁部に間接的に取り付けられている（例えば特許文献１参照）。この構成では、支持板材が壁部に沿って延びた状態で壁部に固定されており、壁部に対する支持板材の重なり面積が大きいことで、支持板材及び支持具による棚板の支持強度が適正に確保されている。
【先行技術文献】
【特許文献】
【０００３】
【特許文献１】特開２０１０−２７３７４３号公報
【発明の概要】
【発明が解決しようとする課題】
【０００４】
しかしながら、支持具が大型の支持板材を介さずに壁部に直接的に取り付けられた場合、壁部に対する支持具の固定強度が低下することが懸念される。これに対して、壁部に挿入孔を形成し、全体として棒状に形成した支持具をその挿入孔に挿入することで、壁部に対する支持具の固定強度を高めることが可能になると考えられる。ところが、壁部に挿入孔を形成する場合、この挿入孔の外径が大きいほど、挿入孔が水平方向に対して傾くなど作業精度が低下する可能性が高くなってしまう。この場合、極力細い棒材を支持具として使用して挿入孔の外径を小さくすることで、作業精度の低下を抑制することはできるが、これでは、支持具自体の強度が低下してしまい、棚板からの荷重によって支持具が変形して棚板の自由端側が下がることが懸念される。つまり、棚板の設置状態を適正に保持できないことが懸念される。
【０００５】
本発明は、上記事情に鑑みてなされたものであり、壁部に対して棚板を適正に設置することを主たる目的とするものである。
【課題を解決するための手段】
【０００６】
以下、上記課題を解決するのに有効な手段等につき、必要に応じて作用、効果等を示しつつ説明する。なお以下においては、理解の容易のため、発明の実施の形態において対応する構成を括弧書き等で適宜示すが、この括弧書き等で示した具体的構成に限定されるものではない。
【０００７】
第１の発明の棚板支持構造は、建物（建物１０）の壁部（間仕切壁１３）に取り付けられた棚板支持具（棚板支持具２２）により棚板（棚板２１）が支持されている棚板支持構造であって、前記棚板支持具は、前記棚板内に挿入されることで該棚板を支持している棚側棒（棚側支持棒２７）と、前記壁部内に挿入された壁側棒（壁側支持棒２６）と、を有しており、前記棚側棒には、当該棚側棒の一端面から同棚側棒の長手方向に延びた棒凹部（棒凹部２７ａ）が設けられており、前記壁側棒においては、前記壁部から突出した方の端部が前記棒凹部に挿入されていることを特徴とする。
【０００８】
棚側棒が棚板内に挿入された構成では、棚板の自重や棚板に載せられた物品の荷重が棚側棒に集中することが想定される。このため、棚板棒が細いと、棚板における棚板棒に接触する面積が小さいことで棚板が変形しやすいと考えられる。また、壁側棒が壁部内に挿入された構成では、壁側棒を挿入するための孔を壁部にあらかじめ形成しておくことが想定される。この場合、壁部においては、孔の形成位置が作業者にとって作業しやすい位置にあるとは限らず、作業姿勢が安定しないことなどに起因して、形成する孔の径が大きいほど孔を水平に開けることが困難になると考えられる。つまり、孔が大きいほど作業精度が低下すると考えられる。
【０００９】
これに対して、第１の発明によれば、棚板支持具において棚側棒の内部に壁側棒が挿入された状態になっているため、棚側棒を極力太く（外径を大きく）しつつ、壁側棒を極力細く（外径を小さくする）することができる。このため、棚板が棚側棒に接触している部分を中心に変形することを抑制できるとともに、壁側棒を挿入するための孔を壁部に適正に形成することができる。
【００１０】
また、棚側棒が棚板に挿入された構成では、棚板からの荷重に耐えきれずに棚側棒が変形して棚板の自由端側が下がることが懸念される。ここで、棚側棒において最も変形しやすい部分は、棚板内に入り込んだ部分と棚板から突出した部分との境界部であると考えられる。これに対して、本発明によれば、棚側棒において最も変形しやすい部分の内部に壁側棒を配置することで、その部分を壁側棒により補強することが可能になる。このため、棚板からの荷重で棚側棒が変形して棚板の自由端側が下がるということを壁側棒により抑制できる。
【００１１】
以上により、壁部に対して棚板を適正に設置することができる。
【００１２】
第２の発明では、第１の発明において、前記壁側棒は、前記棒凹部に挿入された状態で前記棚板の内部に入り込んでいる。
【００１３】
第２の発明によれば、壁側棒が棚板の内部にまで達しているため、棚側棒において最も変形しやすい部分（棚板内に入り込んだ部分と棚板から突出した部分との境界部）を壁側棒により適正に補強することができる。
【００１４】
第３の発明では、第１又は第２の発明において、前記棚板支持具は、前記棚側棒と前記壁側棒とを互いに固定した棒固定部（第３溶接ビード４５ｃ）を有している。
【００１５】
第３の発明によれば、壁側棒を壁部内に挿入するよりも前の段階で、棚側棒と壁側棒とが一体化しておくことができる。このため、壁部に対する壁側棒及び棚側棒の取り付け作業の手間を低減することができる。
【００１６】
第４の発明では、第１乃至第３のいずれかの発明において、前記棚板支持具は、前記壁部の壁面に重ねられた状態で該壁部に固定された重ね板部（ベースプレート２８）と、前記重ね板部を前記棚側棒及び前記壁側棒のうち少なくとも前記棚側棒に固定した板固定部（第１溶接ビード４５ａ、第２溶接ビード４５ｂ）と、を有している。
【００１７】
第４の発明によれば、重ね板部を壁部に固定することで、棚側棒や壁側棒を間接的に壁部に固定することができる。この場合、壁側棒や棚側棒に壁部に固定するための専用機能を付加する必要がないため、壁側棒や棚側棒として汎用品を使用することが可能になる。このため、棚板支持具を使用して棚板支持構造を構築する際のコスト負担を低減できる。
【００１８】
第５の発明では、第４の発明において、前記棚側棒は、前記重ね板部に設けられた重ね孔（プレート孔２８ａ）に挿入された状態で、前記板固定部により前記重ね板部に対して固定されている。
【００１９】
第５の発明によれば、棚側棒が重ね板部の重ね孔に入り込んだ状態になっているため、棚板から棚側棒に対して下向きの荷重が加えられた場合に、重ね板から棚側棒が離間することを、棚側棒の外周面が重ね孔の内周面に引っ掛かることで抑制できる。これに対して、例えば、棚側棒の端面が重ね板部の板面に重ねられた構成では、棚板から棚側棒に対して下向きの荷重が加えられた場合に、重ね板部の板面からの棚側棒の端面の離間を、重ね板部と棚側棒との関係性を利用した構造で抑制する、ということが困難になっている。
【００２０】
なお、前記棚側棒の一端面は、前記重ね孔の内側において前記重ね板部の板面と共に前記壁部の壁面に重ねられていることが好ましい。この構成によれば、重ね孔に対する棚側棒の入り込み量、すなわち、重ね孔の内周面に対する棚側棒の外周面の引っ掛かり面積を極力大きくすることができる。このため、棚板から棚側棒に対して下向きの荷重が加えられた場合に、棚側棒の変形を重ね板部により更に確実に抑制することができる。
【００２１】
第６の発明では、第５の発明において、前記壁側棒は、前記棒凹部に挿入された状態で前記重ね孔を通じて前記重ね板部よりも突出している。
【００２２】
第６の発明によれば、ベースプレートが棚板の端面に接触するまで棚側棒を棚板に挿入することで、壁側棒を棚板の内部に到達させることができる。このため、壁側棒が棚側棒の棒凹部に挿入されていることに起因して、壁側棒が棚板の内部に到達した否かを視認することができなくても、棚板の端面をベースプレートに押し当てることで、棚板に対して壁側棒が適正な位置に配置されたことを確認できる。このため、作業者の熟練度に関係なく棚板支持具を適正に使用される構成を実現できる。
【００２３】
第７の発明では、第１乃至第６のいずれかの発明において、前記壁側棒は、当該壁側棒の中心線が前記棚側棒の中心線と平行に延びた状態で前記棒凹部に挿入されている。
【００２４】
第７の発明によれば、壁側棒と棚側棒とが一直線上に延びているため、壁側棒を挿入するための孔を壁部に水平に開けることで、棚側棒を水平に設置することができる。このため、棚板を適正に設置する作業を容易化できる。
【００２５】
第８の発明では、第１乃至第６のいずれかの発明において、前記壁側棒は、当該壁側棒の中心線が前記棚側棒の中心線と交差する方向に延びた状態で前記棒凹部に挿入されている。
【００２６】
第８の発明によれば、壁側棒から棚側棒が斜め上方に向いた状態になるように棚板支持部を壁部に取り付けることで、棚板を壁部から斜め上方に向いた状態で設置することができる。この場合、棚板の上に載せられた物品が棚板から落ちにくい状態を実現できる。
【００２７】
第９の発明の棚板支持具は、建物（建物１０）の壁部（間仕切壁１３）に取り付けられた場合に棚板（棚板２１）を支持することが可能な棚板支持具（棚板支持具２２）であって、一端面が凹むことで形成された棒凹部（棒凹部２７ａ）を有する外側棒（棚側支持棒２７）と、前記棒凹部内に挿入されている内側棒（壁側支持棒２６）と、前記外側棒における前記棒凹部の開放端部に設けられ、該外側棒の径方向に延びた延出板部（ベースプレート２８）と、を備え、前記延出板部は、前記内側棒が前記壁部内に挿入され且つ該内側棒の突出部分が前記棒凹部に挿入された状態で、前記壁部の壁面に重ねられるものであることを特徴とする。
【００２８】
外側棒が棚板内に挿入された構成では、棚板の自重や棚板に載せられた物品の荷重が外側棒に集中することが想定される。このため、棚板棒が細いと、棚板における棚板棒に接触する面積が小さいことで棚板が変形しやすいと考えられる。また、内側棒が壁部内に挿入された構成では、内側棒を挿入するための孔を壁部にあらかじめ形成しておくことが想定される。この場合、壁部においては、孔の形成位置が作業者にとって作業しやすい位置にあるとは限らず、作業姿勢が安定しないことなどに起因して、形成する孔の径が大きいほど孔を水平に開けることが困難になると考えられる。つまり、孔が大きいほど作業精度が低下すると考えられる。
【００２９】
これに対して、第９の発明によれば、棚板支持具において外側棒の内部に内側棒が挿入された状態になっているため、外側棒を極力太く（外径を大きく）しつつ、内側棒を極力細く（外径を小さくする）することができる。このため、外側棒が棚板内に挿入され且つ内側棒が壁部内に挿入された構成では、棚板が外側棒に接触している部分を中心に変形することを抑制できるとともに、内側棒を挿入するための孔を壁部に適正に形成することができる。
【００３０】
また、外側棒が棚板に挿入された構成では、棚板からの荷重に耐えきれずに外側棒が変形して棚板の自由端側が下がることが懸念される。ここで、外側棒において最も変形しやすい部分は、棚板内に入り込んだ部分と棚板から突出した部分との境界部であると考えられる。これに対して、本発明によれば、外側棒において最も変形しやすい部分の内部に内側棒を配置することで、その部分を内側棒により補強することが可能になる。このため、棚板からの荷重で外側棒が変形して棚板の自由端側が下がるということを内側棒により抑制できる。
【００３１】
以上により、棚板周辺の意匠性を保持しつつ、壁部に対して棚板を適正に設置することができる。
【図面の簡単な説明】
【００３２】
【図１】間仕切壁及び棚板の分解斜視図。
【図２】棚板周辺の間仕切壁の斜視図。
【図３】棚板の分解斜視図。
【図４】棚板支持具の構成を示す図であり、（ａ）に棚板支持具の側面図を示し、（ｂ）に棚板支持具を壁側支持棒側から見た図を示し、（ｃ）に棚板支持具の分解斜視図を示す。
【図５】棚板支持具周辺の間仕切壁の縦断面図。
【図６】棚板支持具周辺の間仕切壁の正面図。
【図７】間仕切壁に対する棚板支持具の取り付け手順を示す図。
【図８】別の棚側支持棒及びベースプレートを示す斜視図。
【図９】間仕切壁に対する別の棚板支持具の取り付け手順を示す図。
【図１０】別の棚板支持具周辺の間仕切壁の縦断面図。
【発明を実施するための形態】
【００３３】
以下、本発明を具体化した一実施形態について図面を参照しつつ説明する。本実施形態では、本発明の棚板支持構造及び棚板支持具を、間仕切壁に棚板が取り付けられた建物において具体化している。図１は間仕切壁１３及び棚板２１の分解斜視図、図２は棚板２１周辺の間仕切壁１３の斜視図である。
【００３４】
図１に示すように、住宅等の建物においては、床部１１の上に壁部としての間仕切壁１３が立設されている。間仕切壁１３は、互いに対向した一対の壁面材１４と、これら壁面材１４の間に設けられた壁下地１５とを有している。壁面材１４は、石膏ボード等により形成された内装材であり、壁下地１５は、複数のフレーム材により形成された下地フレームになっている。
【００３５】
壁下地１５は、壁幅方向に延びた横フレーム材１８と、上下方向に延びた縦フレーム材（図示略）とを有しており、縦フレーム材と横フレーム材１８とが互いに連結されることで全体として矩形枠状に形成されている。縦フレーム材及び横フレーム材１８は、木製角材により形成された下地材であり、壁面材１４の背面に沿って延びている。横フレーム材１８は、上下方向において所定間隔で複数配置されており、いずれも隣り合う縦フレーム材を連結している。
【００３６】
図１、図２に示すように、間仕切壁１３には棚板２１が取り付けられている。棚板２１は、間仕切壁１３から側方に向けて延びた状態で設けられている。棚板２１の上面はほぼ水平方向に延びており、棚板２１の上には、本や装飾品などの物品を載せることが可能になっている。棚板２１は、全体として横長矩形状に形成されており、幅寸法（例えば２ｍ）が奥行き寸法（例えば２５０ｍｍ）よりも非常に大きくなっている。
【００３７】
間仕切壁１３には、棚板支持具２２が取り付けられており、棚板２１は棚板支持具２２により片持ち支持されている。棚板支持具２２は、壁幅方向に所定間隔で複数（例えば２個）設けられており、棚板２１は、これら棚板支持具２２に架け渡された状態で設置されている。
【００３８】
間仕切壁１３は、一対の壁面材１４の間に設けられた壁内下地板２３を有しており、棚板支持具２２は壁内下地板２３に対して取り付けられている。この場合、壁内下地板２３は、棚板支持具２２の取り付け位置に合わせて壁幅方向において所定間隔で複数（例えば２枚）設けられている。各壁内下地板２３は、構造用合板により形成されたバッキング材であり、一対の壁面材１４のうち棚板２１側の壁面材１４の裏面に重ねられた状態で、上下に隣り合う横フレーム材１８に架け渡されている。この場合、壁内下地板２３は、上下の各横フレーム材１８のそれぞれに対してビス等により固定されている。
【００３９】
棚板支持具２２は、間仕切壁１３に挿し入れられた壁側支持棒２６と、棚板２１に挿し入れられた棚側支持棒２７と、間仕切壁１３の壁面に重ねられたベースプレート２８とを有している。壁側支持棒２６は、ベースプレート２８から間仕切壁１３に向けて延びており、棚側支持棒２７は間仕切壁１３から遠ざかる向きに延びている。なお、壁側支持棒２６が壁側棒に相当し、棚側支持棒２７が棚側棒に相当し、ベースプレート２８が重ね板部に相当する。
【００４０】
次に、棚板２１の構成について図３を参照しつつ説明する。図３は棚板２１の分解斜視図である。
【００４１】
図３に示すように、棚板２１は、互いに対向する上下一対の棚板材３１と、これら棚板材３１の間に設けられた棚下地３２とを有しており、棚板材３１は、木材や合成樹脂材料により形成された化粧板になっている。棚板２１はフラッシュ構造を有しており、棚下地３２は横長の矩形枠状に形成されている。
【００４２】
棚下地３２は、棚板２１の幅方向に延びた幅枠材３３と、棚板２１の奥行き方向に延びた奥行き枠材３４とを有している。これら幅枠材３３及び奥行き枠材３４は、いずれも木製角材により形成されており、棚板材３１の裏面に沿って横並びに配置された状態でビス等により互いに固定されている。奥行き枠材３４は、棚板２１の幅方向において所定間隔で複数（例えば５本）配置されている。幅枠材３３は、棚板２１の奥側端部（間仕切壁１３側の端部）においては複数の奥行き枠材３４に架け渡されている一方で、棚板２１の手前側端部（自由端部）においては隣り合う奥行き枠材３４の間に配置されている。この場合、棚板２１の奥側端部においては、間仕切壁１３側に各奥行き枠材３４の端面が露出している。
【００４３】
複数の奥行き枠材３４には、棚板支持具２２の取り付け対象になっている取り付け枠材３４ａが複数（例えば２個）含まれている。取り付け枠材３４ａには、棚板支持具２２の棚側支持棒２７を挿入可能な棚板孔３６が形成されており、棚板孔３６は、取り付け枠材３４ａの奥側端面から奥行き方向に延びている。なお、取り付け枠材３４ａは、複数の奥行き枠材３４の中で中間位置に配置されている。例えば、取り付け枠材３４ａは、棚板２１の端部に配置された他の奥行き枠材３４から所定距離（例えば１５０ｍｍ）だけ離間した位置に配置されている。
【００４４】
続いて、棚板支持具２２の構成について図４〜図６を参照しつつ説明する。図４は棚板支持具２２の構成を示す図、図５は棚板支持具２２周辺の間仕切壁１３の縦断面図、図６は棚板支持具２２周辺の間仕切壁１３の正面図である。なお、図４においては、（ａ）に棚板支持具２２の側面図を示し、（ｂ）に棚板支持具２２を壁側支持棒２６側から見た図を示し、（ｃ）に棚板支持具２２の分解斜視図を示す。図６においては、棚板２１の図示を省略している。
【００４５】
図４（ａ）、（ｂ）に示すように、壁側支持棒２６及び棚側支持棒２７は、円柱状の長尺部材により形成されており、ベースプレート２８は、横長矩形状の板材により形成されている。これら支持棒２６，２７及びベースプレート２８は、いずれも鉄等の金属材料により形成されており、溶接により互いに固定されている。壁側支持棒２６と棚側支持棒２７とは、ほぼ同じ強度を有している。ベースプレート２８においては、一方の板面から壁側支持棒２６が延びており、他方の板面から棚側支持棒２７が延びている。これら支持棒２６，２７の中心線は互いに重なっており、これら中心線はベースプレート２８の中央位置を通過している。
【００４６】
ベースプレート２８には、ネジ孔４１ａ〜４１ｃが設けられている。ベースプレート２８においては、一対の長辺のうち一方寄りの位置に第１ネジ孔４１ａが配置され、他方寄りの位置に第２ネジ孔４１ｂが配置されており、これらネジ孔４１ａ，４１ｂは、ベースプレート２８の短辺に沿って並べられている。また、ベースプレート２８においては、その長手方向に延びる中心線に沿って２つの第３ネジ孔４１ｃが並べられている。これら第３ネジ孔４１ｃは、ベースプレート２８の短辺と支持棒２６，２７との間に配置されている。この場合、２つの第３ネジ孔４１ｃの間に支持棒２６，２７が配置されていることになる。
【００４７】
図４（ｃ）に示すように、ベースプレート２８には、棚側支持棒２７が挿入された重ね孔としてのプレート孔２８ａが設けられ、棚側支持棒２７には、壁側支持棒２６が挿入された棒凹部２７ａが設けられている。プレート孔２８ａは、ベースプレート２８の中央位置に配置されており、棚側支持棒２７の外径と同じ又はそれよりも若干大きい内径を有している。この場合、プレート孔２８ａの内周面が棚側支持棒２７の外周面に重なっている。また、棚側支持棒２７の端面は、ベースプレート２８の板面（壁側支持棒２６が延出した側の板面）と面一になっており、この板面と同一平面を形成している。
【００４８】
壁側支持棒２６の外径は棚側支持棒２７の外径よりも小さくされており、壁側支持棒２６は、棒凹部２７ａに挿入されていることで棚側支持棒２７の内部に入り込んだ状態になっている。この場合、壁側支持棒２６が内側棒に相当し、棚側支持棒２７が内側棒よりも太い外側棒に相当する。また、ベースプレート２８は、棚側支持棒２７から径方向に延出した延出板部に相当する。
【００４９】
棒凹部２７ａは、棚側支持棒２７の端面の中央部分が凹むことで形成されており、棚側支持棒２７の中心線に沿って延びている。棒凹部２７ａの延出寸法は、ベースプレート２８の厚み寸法よりも大きく、且つ棚側支持棒２７の長さ寸法の半分よりも小さくなっている。この場合、棒凹部２７ａは、棚側支持棒２７においてベースプレート２８よりも中央側に延びている一方で、棚側支持棒２７の中央部分までは達していない。
【００５０】
棒凹部２７ａの内径は、壁側支持棒２６の外径と同じ又はそれよりも若干大きくされている。また、棒凹部２７ａの内部のほぼ全体に壁側支持棒２６が入り込んでおり、その入り込み寸法（例えば２０ｍｍ）は、壁側支持棒２６の長さ寸法（７０ｍｍ）の半分よりも小さくなっている。この場合、壁側支持棒２６においては、その外周面が棒凹部２７ａの内周面に重なった状態になっているとともに、その先端面が棒凹部２７ａの底面に重なった状態になっている。
【００５１】
図５に示すように、棚板支持具２２においては、溶接により形成された溶接ビード４５ａ〜４５ｃが設けられている。第１溶接ビード４５ａは、棚側支持棒２７の外周面とベースプレート２８の板面との入隅部分に設けられており、第２溶接ビード４５ｂは、棚側支持棒２７の端面とベースプレート２８の板面（第１溶接ビード４５ａとは反対側の板面）との境界部に設けられている。これら溶接ビード４５ａ，４５ｂは、いずれも棚側支持棒２７の周方向に沿って延びており、棚側支持棒２７とベースプレート２８とを互いに固定した板固定部に相当する。第３溶接ビード４５ｃは、壁側支持棒２６の外周面と棚側支持棒２７の端面との入隅部分に設けられている。第３溶接ビード４５ｃは、壁側支持棒２６の周方向に沿って延びており、壁側支持棒２６と棚側支持棒２７とを互いに固定した棒固定部に相当する。
【００５２】
間仕切壁１３には、壁側支持棒２６が挿入された壁孔１３ａが設けられている。壁孔１３ａは、一対の壁面材１４のうち棚板２１側の壁面材１４及び壁内下地板２３を貫通する貫通孔であり、壁側支持棒２６の外径と同じ又はそれよりも若干大きい内径を有している。この場合、壁側支持棒２６の外周面が壁孔１３ａの内周面に重なった状態になっている。
【００５３】
棚板２１においては、棚板孔３６が、取り付け枠材３４ａを貫通する貫通孔ではなく、底面を有する穴（凹み）になっている。棚板孔３６の長さ寸法（例えば１５０ｍｍ）は、ベースプレート２８からの棚側支持棒２７の延出寸法と同じ又はそれよりも若干大きくされており、取り付け枠材３４ａの長さ寸法の半分よりも小さくなっている。また、棚板孔３６は、棚側支持棒２７の外径と同じ又はそれよりも若干大きい内径を有している。この場合、壁側支持棒２６においては、その外周面が棚板孔３６の内周面に重なった状態になっているとともに、その先端面が棚板孔３６の底面に重なった状態になっている。
【００５４】
棚側支持棒２７は、接着剤により棚板２１に接着されている。棚板孔３６の内部においては、棚側支持棒２７の外周面と棚板孔３６の内周面との境界部に沿って接着層が延びており、この接着層により棚側支持棒２７が取り付け枠材３４ａに接合されている。
【００５５】
ベースプレート２８は、壁側支持棒２６が延出している方の板面が間仕切壁１３の壁面に重ねられた状態で、その間仕切壁１３に固定されている。ここで、ベースプレート２８の高さ寸法（短手寸法）は、棚板２１の高さ寸法よりも小さくされており、ベースプレート２８は、棚板２１により覆い隠された状態になっている。棚板２１の端面には、ベースプレート２８を収納するための収納凹部４６が形成されており、ベースプレート２８は、この収納凹部４６に入り込んだ状態になっている。収納凹部４６の凹み寸法はベースプレート２８の厚み寸法と同じ又はそれよりも若干大きくされており、収納凹部４６の底面がベースプレート２８の板面に重ねられた状態になっている。
【００５６】
収納凹部４６は、一対の棚板材３１の端面よりも取り付け枠材３４ａの端面が内側に配置されていることで形成されている。この場合、収納凹部４６の内周面においては、側面が棚板材３１の板面により形成され、底面が取り付け枠材３４ａの端面により形成されている。また、取り付け枠材３４ａの高さ寸法（一対の棚板材３１の離間距離）がベースプレート２８の高さ寸法より大きくされており、一対の棚板材３１の間へのベースプレート２８の入り込みが可能になっている。
【００５７】
図６に示すように、ベースプレート２８は、第１ネジ孔４１ａが第２ネジ孔４１ｂの上方に配置される向きで、ネジ４７により間仕切壁１３に対して固定されている。ネジ４７は、ネジ孔４１ａ〜４１ｃのそれぞれに対して設けられており、壁面材１４を貫通して壁内下地板２３に打ち込まれていることでベースプレート２８を壁内下地板２３に対して固定している。この場合、第１ネジ孔４１ａに打ち込まれたネジ４７は、間仕切壁１３からのベースプレート２８の離間（引き抜き）を防止する効果を付与するものであり、第２ネジ孔４１ｂに打ち込まれたネジ４７は、ベースプレート２８が上下方向に回転する運動を防止する効果を付与するものである。また、第３ネジ孔４１ｃに打ち込まれたネジ４７は、ベースプレート２８の中央部分（棚側支持棒２７）が間仕切壁１３から浮く（離間する）ことを防止する効果を付与するものである。
【００５８】
次に、間仕切壁１３に対する棚板２１の取り付け手順について、図１、図５、図７を参照しつつ説明する。図７は間仕切壁１３に対する棚板支持具２２の取り付け手順を示す図である。
【００５９】
まず、間仕切壁１３を構築する際に、壁下地１５を構築した後、一対の壁面材１４のうち少なくとも一方を設置する前の段階で、壁内下地板２３を壁下地１５に対して取り付ける。その後、設置していなかった壁面材１４を壁下地１５に対して取り付けることで、一対の壁面材１４により壁内下地板２３を覆い隠す。
【００６０】
そして、図７（ａ）に示すように、電動工具等を用いて間仕切壁１３に壁孔１３ａを形成し、この壁孔１３ａに壁側支持棒２６を挿し込むことで、棚板支持具２２を間仕切壁１３に対して装着する。この場合、壁孔１３ａは水平方向に延びていることで、壁側支持棒２６及び棚側支持棒２７も水平方向に延びている。図７（ｂ）に示すように、棚板支持具２２を装着した後、ネジ４７を壁内下地板２３に打ち込むことで、棚板支持具２２を間仕切壁１３に固定する。
【００６１】
その後、棚側支持棒２７の外周面及び棚板孔３６の内周面のうち少なくとも一方に接着剤を塗布した状態で、棚側支持棒２７を棚板孔３６に入り込ませるようにしながら、棚板２１を棚板支持具２２に取り付ける。これにより、図５に示すように、棚板２１を棚板支持具２２を介して間仕切壁１３に対して固定することができる。
【００６２】
また、棚板支持具２２の製造手順について簡単に説明する。まず、外径の異なる２本の棒材と板材を用意し、板材の中央部分にプレート孔２８ａを形成することでベースプレート２８を製造する。次に、外径が大きい方の棒材をプレート孔２８ａに挿通し、溶接により第１溶接ビード４５ａ及び第２溶接ビード４５ｂを形成することで、これら棒材とベースプレート２８とを固定する。その後、棒材に棒凹部２７ａを形成することで棚側支持棒２７を製造し、外径が小さい方の棒材を壁側支持棒２６として棒凹部２７ａに挿入する。そして、溶接により第３溶接ビード４５ｃを形成することで、これら壁側支持棒２６と棚側支持棒２７とを固定する。
【００６３】
以上詳述した本実施形態によれば、以下の優れた効果が得られる。
【００６４】
棚側支持棒２７の棒凹部２７ａに壁側支持棒２６が挿入されているため、棚側支持棒２７を極力太くしつつ、壁側支持棒２６を極力細くすることが可能になる。棚側支持棒２７については、棚側支持棒２７の外周面と棚板孔３６の内周面との接触面積が大きくされているため、棚板２１の自重や載せられた物品の荷重により棚側支持棒２７が棚板孔３６の内周面の一部に食い込んだりめり込んだりすることを抑制できる。また、壁側支持棒２６については、間仕切壁１３の壁孔１３ａの内径を極力小さくすることができるため、壁孔１３ａを形成する際の作業精度を高めることができる。具体的には、工具を用いて壁孔１３ａの形成作業を行う際に、壁孔１３ａが水平方向に対して傾斜したり壁孔１３ａが蛇行したりすることを抑制できる。
【００６５】
ここで、棚側支持棒２７においては、棚板２１から加えられる荷重が、棚板２１内に入り込んだ部分と棚板２１から突出した部分との境界部に集中しやすくなっている。つまり、棚板２１からの荷重による棚側支持棒２７の曲がりはこの境界部において発生しやすくなっている。これに対して、本実施形態では、棚側支持棒２７の棒凹部２７ａに挿入された壁側支持棒２６が、棚板２１の棚板孔３６の内部に入り込んだ状態になっているため、棚側支持棒２７において棚板２１からの荷重が集中しやすい部分を壁側支持棒２６により補強することができる。このため、棚側支持棒２７が曲がって棚板２１の自由端側が下がるということを抑制できる。つまり、重量物が棚板２１の上に長期間に亘って載せられている場合に、棚板２１が徐々に水平方向に対して傾斜して間仕切壁１３から斜め下方に向けて延びた状態に移行する、ということを抑制できる。
【００６６】
棚側支持棒２７と壁側支持棒２６とが直接的に固定されているため、壁側支持棒２６に対して棚側支持棒２７が相対的に変位するということを抑制できる。この場合、棚側支持棒２７が壁側支持棒２６及びベースプレート２８の両方により支持されるため、水平方向に対して棚側支持棒２７が僅かに傾くということも抑制できる。
【００６７】
棚側支持棒２７や壁側支持棒２６がベースプレート２８を介して間仕切壁１３に間接的に固定されているため、間仕切壁１３に直接的に固定するための専用機能を棚側支持棒２７や壁側支持棒２６に付加する必要がない。この場合、棚側支持棒２７や壁側支持棒２６として汎用品を使用することが可能になるため、コスト低減を実現できる。
【００６８】
棚側支持棒２７がベースプレート２８のプレート孔２８ａに挿入されているため、棚側支持棒２７が水平方向に対して傾斜することを、棚側支持棒２７の外周面とプレート孔２８ａの内周面との引っ掛かりにより規制できる。したがって、ベースプレート２８からの棚側支持棒２７の離間を規制する構成を、棚側支持棒２７とベースプレート２８との構造上の関係を利用して実現できる。
【００６９】
棚側支持棒２７と壁側支持棒２６とは互いの中心線が一致するように配置されているため、作業者は、間仕切壁１３に壁孔１３ａを水平方向に形成することができれば、壁側支持棒２６はもちろんのこと棚側支持棒２７も水平に設置することができる。このため、棚板支持具２２を使用して棚板２１を適正に設置する作業を容易化できる。
【００７０】
［他の実施形態］
本発明は上記実施形態の記載内容に限定されず、例えば次のように実施されてもよい。
【００７１】
（１）上記実施形態では、棚板支持具２２において、壁側支持棒２６、棚側支持棒２７及びベースプレート２８があらかじめ一体化された状態で間仕切壁１３に取り付けられていたが、これら壁側支持棒２６、棚側支持棒２７及びベースプレート２８は、間仕切壁１３に対して個別に取り付けられてもよい。
【００７２】
例えば、図８に示すように、棚側支持棒２７とベースプレート２８とが一体化されている一方で、これら棚側支持棒２７及びベースプレート２８に対しては壁側支持棒２６が一体化されていない構成とする。この棚板支持具２２においては、棚側支持棒２７とベースプレート２８とを固定する第１溶接ビード４５ａ及び第２溶接ビード４５ｂが設けられている一方で、棚側支持棒２７と壁側支持棒２６とを固定する第３溶接ビード４５ｃは設けられていない。
【００７３】
この棚板支持具２２の取り付け手順について説明すると、まず、図９（ａ）に示すように、間仕切壁１３の壁孔１３ａに壁側支持棒２６を挿入する。その後、図９（ｂ）に示すように、棚側支持棒２７の棒凹部２７ａに壁側支持棒２６を挿入させながら、ベースプレート２８を間仕切壁１３の壁面に重ねる。そして、ネジ４７を用いてベースプレート２８を間仕切壁１３の壁内下地板２３に対して固定する。この構成では、壁側支持棒２６と棚側支持棒２７とが、ベースプレート２８、壁内下地板２３及びネジ４７を介して間接的に固定されていることになる。
【００７４】
なお、ベースプレート２８は、２本のネジ４７により壁内下地板２３に固定されている。図８に示すように、ベースプレート２８には、対角位置に配置された２つのネジ孔５１ａ，５１ｂが形成されており、これらネジ孔５１ａ，５１ｂを通じて２本のネジ４７が壁内下地に打ち込まれている。ネジ孔５１ａ，５１ｂは、ベースプレート２８の短手方向に並んでいるわけではないため、ベースプレート２８の短手寸法をネジ孔５１ａ，５１ｂの各直径の合計値よりも大きくする必要がない。つまり、ベースプレート２８の短手寸法を極力小さくすることができる。このため、例えば棚板２１の厚み寸法がネジ孔５１ａ，５１ｂの各直径の合計値より小さい寸法であったとしても、ベースプレート２８が棚板２１から上下方向にはみ出ることを抑制できる。
【００７５】
ベースプレート２８においては、ネジ孔５１ａが上辺寄りの位置に配置され、ネジ孔５１ｂが下辺寄りの位置に配置されている。この場合、上側のネジ孔５１ａに打ち込まれたネジ４７は、間仕切壁１３からのベースプレート２８の離間を防止する効果を付与するものであり、下側のネジ孔５１ｂに打ち込まれたネジ４７は、ベースプレート２８が上下方向に回転する運動を防止する効果を付与するものである。これに対して、例えばネジ孔５１ａ，５１ｂが水平方向に沿って横並びに配置された構成では、間仕切壁１３からのベースプレート２８の離間を防止する効果や、ベースプレート２８が上下方向に回転する運動を防止する効果が低下することが懸念される。
【００７６】
（２）上記実施形態では、棚板支持具２２において、壁側支持棒２６の中心線と棚側支持棒２７の中心線とが一致していたが、これら中心線は、互いに平行に延びた状態で上下や左右にずれていてもよく、互いに交差する方向に延びていてもよい。例えば、図１０に示すように、棚側支持棒２７が壁側支持棒２６に対して交差する方向に延びた構成とする。この構成では、壁側支持棒２６が水平方向に延びている一方で、棚側支持棒２７が壁側支持棒２６から斜め上方に向けて延びている。この場合、棚板２１も、間仕切壁１３から棚側支持棒２７に沿って斜め上方に向けて延びた状態になっている。このため、仮に、棚板２１の上に重量物が載せられたことなどによって棚板支持具２２が変形して棚板２１の自由端側が下がったとしても、棚板２１の自由端部が基端部よりも低い位置に移動させしなければ、棚板２１の上に載せられた物品が棚板２１の自由端側から滑り落ちるということが発生しにくい状態を保持できる。したがって、棚板２１の耐荷重を極力大きくすることができる。
【００７７】
（３）上記実施形態では、棚板支持具２２において、壁側支持棒２６と棚側支持棒２７とベースプレート２８とが溶接により互いに固定されていたが、固定方法は溶接でなくてもよい。例えば、ベースプレート２８のプレート孔２８ａに雌ネジ部が設けられているとともに、棚側支持棒２７の外周面に雄ネジ部が設けられ、棚側支持棒２７がプレート孔２８ａにねじ込まれることで、棚側支持棒２７がベースプレート２８に固定された構成とする。また、棚側支持棒２７の棒凹部２７ａに雌ネジ部が設けられているとともに、壁側支持棒２６の外周面に雄ネジ部が設けられ、壁側支持棒２６が棒凹部２７ａにねじ込まれることで、壁側支持棒２６が棚側支持棒２７に固定された構成とする。
【００７８】
また、ベースプレート２８のプレート孔２８ａ内に棚側支持棒２７が挿通されていない構成としてもよい。この場合、壁側支持棒２６の雄ネジ部がプレート孔２８ａの雌ネジ部に螺着可能な構成とすれば、壁側支持棒２６がプレート孔２８ａ及び棒凹部２７ａにねじ込まれることで、壁側支持棒２６がベースプレート２８及び棚側支持棒２７の両方に固定されることになる。なお、棚側支持棒２７がプレート孔２８ａ内に挿通されていない構成では、棚側支持棒２７の端面がベースプレート２８の板面に重ねられていることが好ましい。
【００７９】
（４）上記実施形態では、壁側支持棒２６がベースプレート２８及びネジ４７を介して壁内下地板２３に間接的に固定されていたが、壁側支持棒２６は、壁内下地板２３に対して直接的に固定されていてもよい。例えば、壁内下地板２３の壁孔１３ａに雌ネジ部が設けられているとともに、壁側支持棒２６の外周面に雄ネジ部が設けられ、壁側支持棒２６が壁孔１３ａにねじ込まれた構成とする。この構成では、棚板支持具２２がベースプレート２８を有していなくても、この棚板支持具２２を間仕切壁１３に対して固定することができる。
【００８０】
（５）上記実施形態では、棒凹部２７ａの内部において、壁側支持棒２６が棚側支持棒２７の中央部分まで達していない構成としたが、壁側支持棒２６は、棚側支持棒２７の中央部分を越える位置まで達していてもよい。この構成では、棒凹部２７ａの凹み寸法が、棚側支持棒２７の長さ寸法の半分よりも大きくされていることになる。この場合、壁側支持棒２６と棚側支持棒２７との重なり寸法が極力大きくされることで、棒凹部２７ａからの壁側支持棒２６の抜け落ちを確実に防止できる。
【００８１】
（６）上記実施形態では、棒凹部２７ａが棚側支持棒２７の一端面に開放された穴とされていたが、棒凹部２７ａは、棚側支持棒２７を長手方向に貫通した貫通孔とされていてもよい。この場合でも、この貫通孔に壁側支持棒２６を挿入することは可能になっている。
【００８２】
（７）上記実施形態では、壁側支持棒２６及び棚側支持棒２７がいずれも金属材料により形成されていたが、棚側支持棒２７は、壁側支持棒２６よりも強度の低い材料により形成されていてもよい。例えば、棚側支持棒２７が合成樹脂材料により形成された構成とする。この構成でも、棚側支持棒２７において棚板２１からの荷重が最も集中しやすい部分の内部に壁側支持棒２６が配置されていることで、棚側支持棒２７が変形するということが生じにくくなっている。
【００８３】
（８）上記実施形態では、壁側支持棒２６及び棚側支持棒２７がいずれも円柱状に形成されていたが、これら支持棒２６，２７は必ずしも円柱状に形成されていなくてもよい。要は、壁側支持棒２６と棚側支持棒２７とが、壁側支持棒２６を棚側支持棒２７の内側に挿入することが可能な形状に形成されていれ、断面矩形状や断面楕円状に形成されていてもよい。この場合でも、棚側支持棒２７が壁側支持棒２６よりも太いことになる。
【００８４】
（９）上記実施形態では、ベースプレート２８のプレート孔２８ａに棚側支持棒２７が挿通されていたが、棚側支持棒２７は、ベースプレート２８に横並びに配置されていてもよい。例えば、ベースプレート２８に、そのベースプレート２８の周縁部に向けて開放された切り欠き部が設けられており、その切り欠き部に棚側支持棒２７が入り込んだ状態で設けられた構成とする。この場合でも、ベースプレート２８が棚側支持棒２７の径方向に延びた構成を実現できる。
【００８５】
（１０）上記実施形態では、棚板２１がフラッシュ構造を有していたが、棚板２１は、ベタ芯構造を有していてもよい。例えば、棚下地３２が中実の板材により形成された構成とする。この構成でも、中実の板材に棚板孔３６が形成されていることで、その棚板孔３６に棚側支持棒２７を挿入することができる。
【００８６】
（１１）上記実施形態では、壁部としての間仕切壁１３に棚板支持具２２が取り付けられていたが、棚板支持具２２が取り付けられる壁部は外壁であってもよい。
【符号の説明】
【００８７】
１３…壁部としての間仕切壁、２１…棚板、２２…棚板支持具、２６…壁側棒及び内側棒としての壁側支持棒、２７…棚側棒及び外側棒としての棚側支持棒、２７ａ…棒凹部、２８…重ね板部及び延出板部としてのベースプレート、２８ａ…重ね孔としてのプレート孔、４５ａ…板固定部としての第１溶接ビード、４５ｂ…板固定部としての第２溶接ビード、４５ｃ…棒固定部としての第３溶接ビード。
【図１】
0006495070.tif 000002
【図２】
0006495070.tif 000003
【図３】
0006495070.tif 000004
【図４】
0006495070.tif 000005
【図５】
0006495070.tif 000006
【図６】
0006495070.tif 000007
【図７】
0006495070.tif 000008
【図８】
0006495070.tif 000009
【図９】
0006495070.tif 000010
【図１０】
0006495070.tif 000011